(57)【要約】【課題】顧客が硬貨投入孔と紙幣投入孔が容易に識別することができる金銭登録装置を提供する。【解決手段】金銭登録装置は、情報を入出力する入出力装置と、商品に付されたバーコードを読み取るスキャナと、レシートを印刷するプリンタと、硬貨を投入するための硬貨投入孔と、硬貨投入孔に設けられる硬貨投入ランプと、硬貨投入孔に設けられ、硬貨投入ランプの点灯時または点滅時に発声する硬貨投入スピーカと、紙幣を投入するための紙幣投入孔と、紙幣投入孔に設けられ、硬貨投入ランプが消灯しているときに点灯または点滅する紙幣投入ランプと、紙幣投入孔に設けられ、紙幣投入ランプの点灯時または点滅時に発声する紙幣投入スピーカと、を備える。【選択図】図２
2014170301.tif 000002
【特許請求の範囲】
【請求項１】
情報を入出力する入出力装置と、
商品に付されたバーコードを読み取るスキャナと、
レシートを印刷するプリンタと、
硬貨を投入するための硬貨投入孔と、
前記硬貨投入孔に設けられる硬貨投入ランプと、
前記硬貨投入孔に設けられ、前記硬貨投入ランプの点灯時または点滅時に発声する硬貨投入スピーカと、
紙幣を投入するための紙幣投入孔と、
前記紙幣投入孔に設けられ、前記硬貨投入ランプが消灯しているときに点灯または点滅する紙幣投入ランプと、
前記紙幣投入孔に設けられ、前記紙幣投入ランプの点灯時または点滅時に発声する紙幣投入スピーカと、
を備える金銭登録装置。
【請求項２】
前記硬貨投入スピーカは、
メッセージを発声する請求項１記載の金銭登録装置。
【請求項３】
前記硬貨投入スピーカは、
硬貨の音を発声する請求項１記載の金銭登録装置。
【請求項４】
前記紙幣投入スピーカは、
メッセージを発声する請求項１記載の金銭登録装置。
【請求項５】
前記紙幣投入スピーカは、
紙幣の音を発声する請求項１記載の金銭登録装置。
【発明の詳細な説明】
【技術分野】
【０００１】
本発明の実施形態は、金銭登録装置に関する。
【背景技術】
【０００２】
近年では、レジ要員の削減を目的として、顧客が自ら商品代金の清算を行う自己清算型の金銭登録装置が普及している。
【０００３】
この自己清算型金銭登録装置は、情報を表示するタッチパネルと、商品に付されたバーコードを読み取るスキャナと、レシートを印刷するプリンタと、現金を入出金する入出金装置と、を備える。
【０００４】
顧客は自分が買った商品を自分でスキャンし、タッチパネルに表示された金額の現金を入出金装置に投入する。自己清算型金銭登録装置は、代金を清算し、つり銭がある場合は顧客につり銭を返却する。
【０００５】
しかし、従来の自己清算型金銭登録装置は、紙幣の投入孔と硬貨の投入孔が顧客にとって紛らわしく、顧客が硬貨を紙幣投入孔に投入してしまうことにより入出金装置が破損する場合があった。
【先行技術文献】
【特許文献】
【０００６】
【特許文献１】特開２０１１−５４１２１号公報
【発明の概要】
【発明が解決しようとする課題】
【０００７】
従って、顧客が硬貨投入孔と紙幣投入孔が容易に識別することができる金銭登録装置が求められている。
【課題を解決するための手段】
【０００８】
上記の課題を解決するために、本発明の一実施形態は、情報を入出力する入出力装置と、商品に付されたバーコードを読み取るスキャナと、レシートを印刷するプリンタと、硬貨を投入するための硬貨投入孔と、硬貨投入孔に設けられる硬貨投入ランプと、硬貨投入孔に設けられ、硬貨投入ランプの点灯時または点滅時に発声する硬貨投入スピーカと、紙幣を投入するための紙幣投入孔と、紙幣投入孔に設けられ、硬貨投入ランプが消灯しているときに点灯または点滅する紙幣投入ランプと、紙幣投入孔に設けられ、紙幣投入ランプの点灯時または点滅時に発声する紙幣投入スピーカと、を備える金銭登録装置を備える金銭登録装置を提供する。
【図面の簡単な説明】
【０００９】
【図１】自己清算型の金銭登録装置の外観図である。
【図２】入出金装置の外観斜視図である。
【図３】金銭登録装置の構成を示すブロック図である。
【図４】価格データベースのデータ構成を示す図である。
【図５】トランザクションファイルのデータ構成を示す図である。
【発明を実施するための形態】
【００１０】
以下、金銭登録装置の一実施形態について、図面を用いて詳細に説明する。
【００１１】
本実施形態の金銭登録装置は、情報を入出力する入出力装置と、商品に付されたバーコードを読み取るスキャナと、レシートを印刷するプリンタと、硬貨を投入するための硬貨投入孔と、硬貨投入孔に設けられる硬貨投入ランプと、硬貨投入孔に設けられ、硬貨投入ランプの点灯時または点滅時に発声する硬貨投入スピーカと、紙幣を投入するための紙幣投入孔と、紙幣投入孔に設けられ、硬貨投入ランプが消灯しているときに点灯または点滅する紙幣投入ランプと、紙幣投入孔に設けられ、紙幣投入ランプの点灯時または点滅時に発声する紙幣投入スピーカと、を備える。
【００１２】
図１は、自己清算型の金銭登録装置１０の外観図である。図１に示すように、金銭登録装置１０は、入出力装置であるタッチパネル１１と、商品に付されたバーコードを読み取るスキャナ１２と、レシートを印刷するプリンタ１３と、現金を入出金する入出金装置２００と、本体部１４と、を備える。
【００１３】
顧客は自分が買った商品のバーコードを順次スキャナ１２に読み込ませる。すべての商品のスキャンが終了した場合、顧客はタッチパネル１１に表示される清算ボタンを押下する。
【００１４】
清算ボタンの押下によって、金銭登録装置１０は小計を計算し、タッチパネル１１にこの小計を表示するとともに、顧客に現金の投入を促すメッセージをタッチパネル１１に表示する。
【００１５】
顧客が入出金装置２００に現金を投入すると、金銭登録装置１０は清算を行い、つり銭を返却する。
【００１６】
図２は、入出金装置２００の外観斜視図である。図２に示すように、入出金装置２００は、硬貨を投入するための硬貨投入孔２０１と、硬貨投入孔２０１に設けられる硬貨投入ランプ２０１Ａと、硬貨投入孔２０１に設けられる硬貨投入スピーカ２０１Ｂと、紙幣を投入するための紙幣投入孔２０２と、紙幣投入孔２０２に設けられる紙幣投入ランプ２０２Ａと、紙幣投入孔２０２に設けられる紙幣投入スピーカ２０２Ｂと、紙幣のつり銭を排出する紙幣つり銭排出口２０３と、硬貨のつり銭を排出する硬貨つり銭排出口２０４と、紙幣つり銭排出口２０３又は硬貨つり銭排出口２０４に設けられるつり銭ランプ２０４Ａと、紙幣つり銭排出口２０３又は硬貨つり銭排出口２０４に設けられるつり銭スピーカ２０４Ｂと、を備える。
【００１７】
硬貨投入ランプ２０１Ａ及び硬貨投入スピーカ２０１Ｂは、硬貨投入孔２０１の近傍、すなわち、硬貨投入孔２０１の上方かつタッチパネル１１の下方に設けられる。
【００１８】
紙幣投入ランプ２０２Ａ及び紙幣投入スピーカ２０２Ｂは、紙幣投入孔２０２の近傍、すなわち、紙幣投入孔２０２の上方かつタッチパネル１１の下方に設けられる。
【００１９】
つり銭ランプ２０４Ａ及びつり銭スピーカ２０４Ｂは、紙幣つり銭排出口２０３又は硬貨つり銭排出口２０４の近傍、すなわち、硬貨つり銭排出口２０４の横側かつ紙幣つり銭排出口２０３の下方であってタッチパネル１１の下方に設けられる。
【００２０】
金銭登録装置１０は、ストアコントローラと接続して使用される。ストアコントローラは、ストアコントローラに格納された商品に関する情報に変更があった場合、接続されている金銭登録装置１０にその情報を配信する。
【００２１】
図３は、金銭登録装置１０の構成を示すブロック図である。図３に示すように、金銭登録装置１０は、制御部であるＣＰＵ（Ｃｅｎｔｒａｌ  Ｐｒｏｃｅｓｓｉｎｇ  Ｕｎｉｔ）３０１と、タッチパネル１１と、スキャナ１２と、プリンタ１３と、外部機器と通信を行うための通信インターフェース（以下、インターフェースをＩ／Ｆという。）３０５と、記憶装置であるＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）などのメモリ３０６と、ハードディスク、乃至フラッシュＲＯＭなどの不揮発性記憶装置である補助記憶装置３０７と、を備える。
【００２２】
補助記憶装置３０７は、商品ごとの単価を格納する価格データベース（以下、データベースをＤＢという。）３０７Ａと、一取引の内容を格納するトランザクションファイル３０７Ｂと、を格納する。
【００２３】
金銭登録装置１０はさらに、硬貨投入ランプ２０１Ａと、硬貨投入スピーカ２０１Ｂと、紙幣投入ランプ２０２Ａと、紙幣投入スピーカ２０２Ｂと、つり銭ランプ２０４Ａと、つり銭スピーカ２０４Ｂと、を備える。
【００２４】
図４は、価格ＤＢ３０７Ａのデータ構成を示す図である。図４に示すように、価格ＤＢ３０７Ａは、商品毎に固有に割り当てられる「商品コード」と、商品の名称である「名称」と、商品の定番価格である「単価」と、販売部門を示す「部門」と、を格納する。
【００２５】
各データの例は、商品コードが「４００００００００１２３４」、名称が「缶コーヒー２５０ｍｌ」、単価が「１００」、部門が「５０１０」である。
【００２６】
図５は、トランザクションファイル３０７Ｂのデータ構成を示す図である。図５に示すように、トランザクションファイル３０７Ｂは、一取引ごとに、「商品コード」と、「名称」と、「単価」と、販売する数量を示す「数量」と、を格納する。
【００２７】
各データの例は、商品コードが「４００００００００１２３４」、名称が「缶コーヒー２５０ｍｌ」、単価が「１００」、数量が「６」である。
【００２８】
顧客が商品に付されたバーコードをスキャナ１２によってスキャンすると、金銭登録装置１０はこのバーコードの商品コードに基づいて価格ＤＢ３０７Ａを検索し、名称と単価を読み出す。
【００２９】
金銭登録装置１０は、この単価と、数量とをトランザクションファイル３０７Ｂに書き出す。
【００３０】
タッチパネル１１の小計ボタンが押下された場合、金銭登録装置１０は小計を計算し、顧客に現金の投入を促すメッセージとともにタッチパネル１１に表示する。
【００３１】
この際、金銭登録装置１０は、次のような動作を行う。
【００３２】
（１）硬貨投入ランプ２０１Ａを点灯または点滅させ、硬貨投入スピーカ２０１Ｂから「硬貨の投入孔はここです。」というメッセージとともに、「チャリン」という硬貨の音を鳴らす。この硬貨の音は、擬音であっても合成音声であってもよい。  
（２）硬貨投入ランプ２０１Ａを消灯し、硬貨投入スピーカ２０１Ｂからの発声を中止する。  
（３）紙幣投入ランプ２０２Ａを点灯または点滅させ、紙幣投入スピーカ２０２Ｂから「紙幣の投入孔はここです。」というメッセージとともに、「シュッシュッ」という紙幣の音を鳴らす。この紙幣の音は、擬音であっても合成音声であってもよい。  
（４）紙幣投入ランプ２０２Ａを消灯し、紙幣投入スピーカ２０２Ｂからの発声を中止する。  
（５）以降、清算完了まで（１）から（４）を繰り返す。  
（６）つり銭の排出が終了した場合、つり銭ランプ２０４Ａを点滅させ、つり銭スピーカ２０４Ｂから「つり銭をお取りください。」という音を鳴らす。
【００３３】
以上述べたように、金銭登録装置１０は、入出力装置であるタッチパネル１１と、商品に付されたバーコードを読み取るスキャナ１２と、レシートを印刷するプリンタ１３と、現金を入出金し、硬貨を投入するための硬貨投入孔２０１と、硬貨投入孔２０１に設けられる硬貨投入ランプ２０１Ａと、硬貨投入孔２０１に設けられ、硬貨投入ランプ２０１Ａの点灯時または点滅時に発声する硬貨投入スピーカ２０１Ｂと、紙幣を投入するための紙幣投入孔２０２と、紙幣投入孔２０２に設けられ、硬貨投入ランプ２０１Ａが消灯しているときに点灯または点滅する紙幣投入ランプ２０２Ａと、紙幣投入孔２０２に設けられ、紙幣投入ランプ２０２Ａの点灯時または点滅時に発声する紙幣投入スピーカ２０２Ｂと、を備える。
【００３４】
従って、顧客が硬貨投入孔と紙幣投入孔が容易に識別することができるという効果がある。
【００３５】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３６】
１０：金銭登録装置
２０１Ａ：硬貨投入ランプ
２０１Ｂ：硬貨投入スピーカ
２０２Ａ：紙幣投入ランプ
２０２Ｂ：紙幣投入スピーカ
【図１】
2014170301.tif 000003
【図２】
2014170301.tif 000004
【図３】
2014170301.tif 000005
【図４】
2014170301.tif 000006
【図５】
2014170301.tif 000007